(57)【要約】【課題】出力対象となる画像データに付加情報を付加して出力する場合やパンチやステープルといった後処理を記録媒体に施して出力する場合に、拡大、縮小、移動といったユーザ操作を必要とせず、付加される付加情報や施される後処理をプレビュー表示時に確認することが可能な画像形成装置を提供する。【解決手段】画像形成装置（デジタル複合機１で例示）は、画像データをプレビュー表示するタッチパネル１０等の画像表示部を備える。デジタル複合機１は、出力対象の画像データに付加情報を付加して出力する場合、又は出力対象の画像データを記録用紙に印字して記録用紙に後処理を施す場合、プレビュー画像の表示時に、プレビュー画像に対し付加情報の付加位置又は後処理を施す位置に相当する位置に付加情報又は後処理を示す付加情報画像を合成して、その付加情報画像が合成される部分を拡大してタッチパネル１０に表示させる。【選択図】図２
2010093417.tif 000002
【特許請求の範囲】
【請求項１】
出力対象の画像データのプレビュー画像を表示する画像表示部を備えた画像形成装置であって、
前記出力対象の画像データに前記付加情報を付加して出力する場合、又は前記出力対象の画像データを記録用紙に印字して該記録用紙に後処理を施す場合、前記プレビュー画像の表示時に、前記プレビュー画像に対し前記付加情報の付加位置又は前記後処理を施す位置に相当する位置に前記付加情報又は前記後処理を示す付加情報画像を合成して、該付加情報画像が合成される部分を拡大して表示させる表示制御部を備えたことを特徴とする画像形成装置。
【請求項２】
前記表示制御部は、前記付加情報画像が合成された前記プレビュー画像と共に、前記プレビュー画像のページ全体と前記付加情報画像との位置関係を示す情報を前記画像表示部に表示させることを特徴とする請求項１に記載の画像形成装置。
【請求項３】
前記表示制御部は、前記プレビュー画像に合成すべき前記付加情報画像が複数存在する場合、所定の優先順位に従って前記付加情報画像が合成される部分を順次切り替えて表示させることを特徴とする請求項１又は２に記載の画像形成装置。
【請求項４】
前記所定の優先順位は、前記プレビュー画像の上部に合成する前記付加情報画像を下部に合成する前記付加情報画像より優先させる順位とすることを特徴とする請求項３に記載の画像形成装置。
【請求項５】
前記所定の優先順位は、前記付加情報としてスタンプ画像を付加する場合には、該スタンプ画像を示す前記付加情報画像を他の前記付加情報画像より優先させる順位とすることを特徴とする請求項３に記載の画像形成装置。
【請求項６】
前記付加情報画像の表示の切り替えを行うユーザ操作を受け付ける切替操作部をさらに備え、前記表示制御部は、前記切替操作部で受け付けたユーザ操作に基づき、前記所定の優先順位に従って前記切り替えを実行することを特徴とする請求項３〜５のいずれか１項に記載の画像形成装置。
【請求項７】
出力対象の画像データのプレビュー画像を表示する画像表示部を備えた画像形成装置におけるプレビュー表示方法であって、
前記画像形成装置が、前記出力対象の画像データに付加情報を付加して出力する場合、又は前記出力対象の画像データを記録用紙に印字して該記録用紙に後処理を施す場合、前記プレビュー画像の表示時に、前記プレビュー画像に対し前記付加情報の付加位置又は前記後処理を施す位置に相当する位置に前記付加情報又は前記後処理を示す付加情報画像を合成するステップと、前記画像形成装置が、該付加情報画像が合成される部分を拡大して、前記プレビュー画像を表示させるステップとを含むことを特徴とするプレビュー表示方法。
【請求項８】
コンピュータが、該コンピュータに接続された画像形成装置で出力する対象の画像データからプレビュー画像を生成するステップと、前記コンピュータが、前記画像形成装置において前記出力対象の画像データに付加情報を付加して出力する場合又は前記出力対象の画像データを記録用紙に印字して該記録用紙に後処理を施す場合、前記プレビュー画像の表示時に、前記プレビュー画像に対し前記付加情報の付加位置又は前記後処理を施す位置に相当する位置に前記付加情報又は前記後処理を示す付加情報画像を合成するステップと、前記コンピュータが、該付加情報画像が合成される部分を拡大して前記コンピュータに具備された表示部に、前記プレビュー画像を表示させるステップとを含むことを特徴とするプレビュー表示方法。
【発明の詳細な説明】
【技術分野】
【０００１】
本発明は、画像データを出力前にプレビュー表示することが可能な画像形成装置、その画像形成装置におけるプレビュー表示方法、並びに、画像形成装置に接続されたコンピュータにおけるプレビュー表示方法に関する。
【背景技術】
【０００２】
従来から、複合機などの画像形成装置において、印字や送信等の出力対象となった画像データをプレビュー表示する機能が備わっているものがある。
【０００３】
例えば、特許文献１には、プレビュー表示の対象となる画像データが文字画像、階調画像かの判別を行い、文字画像である場合には文字が確認できる程度のプレビュー倍率を設定し、そのプレビュー倍率でプレビュー表示させる画像処理装置が開示されている。
【特許文献１】特開２００５−７３０１５号公報
【発明の開示】
【発明が解決しようとする課題】
【０００４】
しかしながら、プレビュー表示によって画像形成の最終状態を確認する場合であっても、画像形成の対象となる画像データに付加情報を付加して出力する場合や、パンチやステープルといった後処理を記録媒体に施して出力する場合には、付加情報の付加や後処理によって、確認時に重要視するポイントが異なるのが、一般的である。
【０００５】
例えばコピー時の確認ポイントとしては、画像全体の鮮明度、ステープルやパンチ穴と画像との位置関係が問題ないか（画像とパンチとが重なっていないか）、ユーザ自身が付加するように設定した「極秘」、「回覧」、「至急」等のスタンプ画像、ページ番号、日付情報などの付加情報が確実に付加されているかなどが挙げられる。
【０００６】
そして、これらの確認ポイントをユーザが確認するためには、プレビュー表示された画像データを拡大、縮小、又は移動させるためのユーザ操作が必要になる。
【０００７】
また、特許文献１に記載の技術は、画像の特性を判別した後にプレビュー時の条件を異ならせるものであるが、画像の特性から表示形態を異ならせるもので、付加情報の付加や後処理に応じて自動的にプレビュー画像の表示形態を変えることができるものではない。従って、特許文献１に記載の技術を採用しても、上述のような確認ポイントをプレビュー表示で確認するためには拡大、縮小、移動などのユーザ操作が必要となる。
【０００８】
本発明は、上述のような実状に鑑みてなされたものであり、出力対象となる画像データに付加情報を付加して出力する場合やパンチやステープルといった後処理を記録媒体に施して出力する場合に、拡大、縮小、移動といったユーザ操作を必要とせず、付加される付加情報や施される後処理をプレビュー表示時に確認することが可能な画像形成装置、その画像形成装置におけるプレビュー表示方法、画像形成装置に接続されたコンピュータにおけるプレビュー表示方法を提供することを、その目的とする。
【課題を解決するための手段】
【０００９】
上述の課題を解決するために、本発明の第１の技術手段は、出力対象の画像データのプレビュー画像を表示する画像表示部を備えた画像形成装置であって、前記出力対象の画像データに前記付加情報を付加して出力する場合、又は前記出力対象の画像データを記録用紙に印字して該記録用紙に後処理を施す場合、前記プレビュー画像の表示時に、前記プレビュー画像に対し前記付加情報の付加位置又は前記後処理を施す位置に相当する位置に前記付加情報又は前記後処理を示す付加情報画像を合成して、該付加情報画像が合成される部分を拡大して表示させる表示制御部を備えたことを特徴としたものである。
【００１０】
第２の技術手段は、第１の技術手段において、前記表示制御部は、前記付加情報画像が合成された前記プレビュー画像と共に、前記プレビュー画像のページ全体と前記付加情報画像との位置関係を示す情報を前記画像表示部に表示させることを特徴としたものである。
【００１１】
第３の技術手段は、第１又は第２の技術手段において、前記表示制御部は、前記プレビュー画像に合成すべき前記付加情報画像が複数存在する場合、所定の優先順位に従って前記付加情報画像が合成される部分を順次切り替えて表示させることを特徴としたものである。
【００１２】
第４の技術手段は、第３の技術手段において、前記所定の優先順位は、前記プレビュー画像の上部に合成する前記付加情報画像を下部に合成する前記付加情報画像より優先させる順位とすることを特徴としたものである。
【００１３】
第５の技術手段は、第３の技術手段において、前記所定の優先順位は、前記付加情報としてスタンプ画像を付加する場合には、該スタンプ画像を示す前記付加情報画像を他の前記付加情報画像より優先させる順位とすることを特徴としたものである。
【００１４】
第６の技術手段は、第３〜第５のいずれかの技術手段において、前記付加情報画像の表示の切り替えを行うユーザ操作を受け付ける切替操作部をさらに備え、前記表示制御部は、前記切替操作部で受け付けたユーザ操作に基づき、前記所定の優先順位に従って前記切り替えを実行することを特徴としたものである。
【００１５】
第７の技術手段は、出力対象の画像データのプレビュー画像を表示する画像表示部を備えた画像形成装置におけるプレビュー表示方法であって、前記画像形成装置が、前記出力対象の画像データに付加情報を付加して出力する場合、又は前記出力対象の画像データを記録用紙に印字して該記録用紙に後処理を施す場合、前記プレビュー画像の表示時に、前記プレビュー画像に対し前記付加情報の付加位置又は前記後処理を施す位置に相当する位置に前記付加情報又は前記後処理を示す付加情報画像を合成するステップと、前記画像形成装置が、該付加情報画像が合成される部分を拡大して、前記プレビュー画像を表示させるステップとを含むことを特徴としたものである。
【００１６】
第８の技術手段は、コンピュータが、該コンピュータに接続された画像形成装置で出力する対象の画像データからプレビュー画像を生成するステップと、前記コンピュータが、前記画像形成装置において前記出力対象の画像データに付加情報を付加して出力する場合又は前記出力対象の画像データを記録用紙に印字して該記録用紙に後処理を施す場合、前記プレビュー画像の表示時に、前記プレビュー画像に対し前記付加情報の付加位置又は前記後処理を施す位置に相当する位置に前記付加情報又は前記後処理を示す付加情報画像を合成するステップと、前記コンピュータが、該付加情報画像が合成される部分を拡大して前記コンピュータに具備された表示部に、前記プレビュー画像を表示させるステップとを含むことを特徴としたものである。
【発明の効果】
【００１７】
本発明によれば、出力対象となる画像データに付加情報を付加して出力する場合やパンチやステープルといった後処理を記録媒体に施して出力する場合に、拡大、縮小、移動といったユーザ操作を必要とせず、付加される付加情報や施される後処理をプレビュー表示時に確認することが可能になる。
【発明を実施するための最良の形態】
【００１８】
以下、本発明を実施するための最良の形態について図面を参照して説明する。以下、本発明に係る画像形成装置をプリント機能、コピー機能、ファクシミリ送受信機能等を有するデジタル複合機に適用した形態について、その実施の形態を示す図面に基づいて具体的に説明する。
【００１９】
＜装置構成＞
図１は、本発明の一実施形態に係る画像形成装置の一例としてのデジタル複合機を用いて構築される画像処理システムの構成例を示す模式図である。図１において、１はデジタル複合機、２、３は外部コンピュータ、４はインターネットファクシミリ装置（インターネットＦＡＸ装置）、５はファクシミリ装置である。
【００２０】
デジタル複合機１は、プリント機能、コピー機能の他に、画像データをファックスで送受信する機能（ファクシミリ機能）及び／又は画像データをインターネットＦＡＸで送受信する機能（インターネットＦＡＸ機能）を有する。このデジタル複合機１には、通信網を介して各種の外部機器が接続されている。例えば、ローカルな通信網として敷設されている通信ネットワークＬＮには、パーソナルコンピュータ（ＰＣ）等の外部コンピュータ２が接続されおり、図に示していないゲートウェイ等を介して接続されているインターネット網ＩＮには外部コンピュータ３及びインターネットＦＡＸ装置４が接続されている。また、公衆電話回線網ＰＮを介して外部のファクシミリ装置５が接続されている。なお、上述したように、本発明に係る画像形成装置をデジタル複合機１に適用した場合についてのみ説明するが、本発明に係る画像形成装置としては、インターネットＦＡＸ装置４やファクシミリ装置５にも適用できる。
【００２１】
以下、このデジタル複合機１の構成及び動作について説明する。図２は、図１のデジタル複合機の構成例を示す概略ブロック図で、図３は、図２のデジタル複合機におけるタッチパネル及びキー操作部の一例を示す外観図である。
【００２２】
図２で例示するデジタル複合機１は、タッチパネル１０、パネル制御部１１、記録部１２、読取部１３、フォーマット変換部１４、画像記憶部１５、画像処理部１６、符号化／復号部１７、メイン制御部１８、制御用メモリ１９、キー操作部２０、ＬＡＮ（Local Area Network）制御部２１、制御用バッファ２２、網制御部（ＮＣＵ：Network Control Unit）２３、モデム２４、及びＵＳＢ（Universal Serial Bus）インターフェース（Ｉ／Ｆ）２５を備えている。また、デジタル複合機１は、穴あけ（パンチ）やステープル処理などを行う後処理装置を備えることが好ましく、以下、この後処理装置を備えた形態を挙げて説明する。
【００２３】
メイン制御部１８はＣＰＵ（Central Processing Unit）又はＤＳＰ（Digital Signal Processor）などで構成される。制御用メモリ１９は、ＲＯＭ（Read Only Memory）やＥＥＰＲＯＭ（Electrically Erasable and Programmable ROM）等の不揮発性メモリなどで構成される。制御用メモリ１９内にはメイン制御部１８から読み出し可能なように、プログラム（ファームウェア）と各種設定データとが格納されている。このうち少なくとも各種設定データは書き換え可能なメモリに格納されている。また、これらのプログラムや各種設定データは、後述する画像記憶部１５の構成例としてのハードディスクに記憶してもよい。また、制御用バッファ２２はＲＡＭ（Random Access Memory）等の揮発性メモリで構成される。
【００２４】
上述のプログラムは、本発明に係る後述のプレビュー画像や付加情報画像の生成や表示に係る命令をはじめ、ファクシミリ画像や電子メール等の生成・送信・受信等に係る命令、原稿の読み取りに係る命令、印刷に係る命令、原稿の読み取り及び印刷（つまりコピー）に係る命令などを、メイン制御部１８が他の部位に対して行うためのものである。このプログラムは、メイン制御部１８により、制御用バッファ２２上に展開され、制御用バッファ２２を一時保存（作業）用のデータ領域として各種設定データを適宜参照しながら実行される。
【００２５】
読取部１３は、ＣＣＤ（Charge Coupled Device）を利用したスキャナで、原稿を所定の解像度のＲＧＢ（Ｒ：赤、Ｇ：緑、Ｂ：青）のビットマップ画像として読み取り、読み取ったＲＧＢの画像データ（ドットイメージデータ）を画像処理部１６に出力する。画像処理部１６は、ＡＳＩＣ（Application Specific Integrated Circuit）などで構成され、対象となる画像データに対して様々な画像処理を施す。画像処理の例については後述する。上述のＡＳＩＣには符号化／復号部１７等の他の部位も組み込んでよい。
【００２６】
画像記憶部１５は、ハードディスク等で構成され、読取部１３で読み取り画像処理部１６を経た画像データや、ＬＡＮ制御部２１やＮＣＵ２３等を介して外部から受信した画像データなどを記憶する。画像記憶部１５に画像データを記憶する際には、符号化／復号部１７で符号化したデータを記憶することもできる。また、画像記憶部１５は、画像処理部１６での画像処理中に発生する中間データの一時的な保存も行ってもよい。
【００２７】
符号化／復号部１７は、画像データを符号化により圧縮すると共に、符号化画像データを元の画像データに復号（伸張）する。例えば、符号化／復号部１７は原稿を読み取った画像データの符号化、その符号化データの復号、外部から受信した符号化画像データの復号などを行う。符号化／復号部１７では、ファイリングで一般的に使用されているＪＰＥＧ（Joint Photographic Experts Group）や、ファクシミリ通信で一般に使用されているＭＨ（Modified Huffman）、ＭＲ（Modified READ）、及びＭＭＲ（Modified Modified READ）など、用途に応じた符号化方式を用いることができる。また、符号化方式として、ＩＰファクシミリ通信ではＭＨを採用することができ、インターネットファクシミリ通信ではＭＨ、ＭＲ、ＭＭＲの他にＪＰＥＧやＪＢＩＧ（Joint Bi-level Image Experts Group）を採用することができる。
【００２８】
フォーマット変換部１４は、読み取られた画像データや外部から受信した画像データを、ＰＤＦ（Portable Document Format）、ＧＩＦ（Graphics Interchange Format）、ＴＩＦＦ（Tag Image File Format）等の所定のファイルフォーマットに変換する。
【００２９】
記録部１２は、電子写真方式やインクジェット方式などの印刷方式を採用したプリンタ装置を備え、画像記憶部１５に記憶された画像データなどを、記録用紙に記録（つまり印刷）する。また、ＵＳＢ  Ｉ／Ｆ２５は、ＵＳＢメモリ等のＵＳＢ機器に接続するためのＩ／Ｆであり、画像記憶部１５に記憶された原稿読み取り後の画像データ等をＵＳＢ機器に出力したり、ＵＳＢ機器からファイルを読み込んだりする。
【００３０】
モデム２４は、ファクシミリ通信が可能なファクシミリモデムから構成されており、電話回線と接続され、またＮＣＵ２３と直接的に接続されている。ＮＣＵ２３は、電話回線と接続され、回線の制御を行う。すなわち、ＮＣＵ２３は、アナログの公衆電話回線網（ＰＳＴＮ）との回線の閉結及び開放の動作を行うハードウェアであり、必要に応じてモデム２４を公衆電話回線網と接続する。このような構成により、画像記憶部１５に記憶された画像データを外部へファクシミリ送信することや、電話回線からファクシミリ画像データを受信して、画像記憶部１５に記憶したり記録部１２で直接印刷したりすることが可能となる。
【００３１】
ＬＡＮ制御部２１は、ＬＡＮと接続され、インターネット経由による電子メールデータの通信及びインターネットＦＡＸの通信を行う。インターネットＦＡＸは、ＬＡＮインターフェース等を用いてＬＡＮ等のコンピュータネットワークを介して、電子メールを送受信するものである。
【００３２】
タッチパネル１０又はキー操作部２０は、原稿の読み取り処理、画像データ送信、印刷等の処理の中から所望の処理を選択するための操作、その処理を開始するための操作、各処理を実行する際に必要となる設定を行うための操作（選択操作又は入力操作）などを受け付ける。この設定としては、例えば印刷時の印刷枚数の設定、穴あけ（パンチ）やステープルの設定、ファクシミリ画像や電子メールの送信時の相手先情報の設定など、様々挙げられる。
【００３３】
キー操作部２０は、操作するために必要なキー群を備えている。タッチパネル１０は、表示部とタッチセンサ等の操作受付部とを有する。タッチパネル１０は、パネル制御部１１によってその表示制御及び操作受け付けの制御がなされる。つまり、パネル制御部１１は、タッチパネル１０における表示部の表示制御や操作受付部の操作受付制御を行う。
【００３４】
タッチパネル１０の表示部には、現在の動作状態や設定情報（例えば送信先等）などが表示される。この表示は、ＧＵＩ（Graphical User Interface）画像を表示させるように、パネル制御部１１が制御することで実現される。ＧＵＩにより、ユーザ操作に応じてその表示及び操作受付位置を変更することができる。各ＧＵＩ及びその画像は、パネル制御部１１の内部メモリ又は制御用メモリ１９に、読み出し可能に格納しておけばよい。また、表示部としては、液晶ディスプレイや有機ＥＬ（Electroluminescence）ディスプレイなど、様々な表示形式の表示装置を採用することができる。
【００３５】
タッチパネル１０上で受けたユーザ操作はパネル制御部１１で解釈され、操作信号としてメイン制御部１８に伝送される。キー操作部２０で受けたユーザ操作は、キー操作部２０自身で解釈され、操作信号としてメイン制御部１８に伝送される。メイン制御部１８は、このようにして得た操作信号に応じた命令を他の部位に発することで、ユーザ操作に応じた処理を他の部位に実行させる。なお、表示装置及び操作部が一体となったタッチパネル１０を挙げて説明したが、タッチパネル１０の代わりに単に表示装置のみを設けてもよく、その場合、キー操作部２０のみでユーザ操作を受け付ける。
【００３６】
タッチパネル１０及びキー操作部２０は、図３で例示するような操作パネル３０として構成してもよく、操作パネル３０は、各種ハードウェアキーを備えるキー操作部３１（キー操作部２０に相当する）と、液晶ディスプレイ及びタッチセンサにより構成されるタッチパネル３２（タッチパネル１０に相当）とにより構成される。以下、図１の構成においてタッチパネル１０及びキー操作部２０の代わりにタッチパネル３２及びキー操作部３１を当てはめて、本発明の詳細について説明する。
【００３７】
キー操作部３１は、ハードウェアキーとして、数値入力のためのテンキー３１ａ、入力した設定値をクリアするためのクリアキー３１ｂ、入力した各種設定を全解除するための全解除キー３１ｃ、コピー開始、送信開始等の指示を受付けるスタートキー３１ｄの他、プリント機能、送信機能、及びコピー機能を切替える機能切替キー３１ｅ，３１ｆ，３１ｇ、並びに、ユーザによる設定を受付けるシステム設定キー３１ｈを備えている。
【００３８】
上述した構成例のデジタル複合機１における動作例について説明する。
＜原稿読み取り動作＞
原稿読み取り動作は、読み取った原稿の画像データを画像記憶部１５に記憶（ファイリング）する場合、読み取った原稿の画像データを外部に送信する場合、読み取った原稿の画像データを印刷する場合（つまりコピーする場合）などに行われる。
【００３９】
原稿読み取りを必要とするような処理を行うユーザ操作が操作パネル３０で受け付けられたとき、メイン制御部１８は、読取部１３、画像記憶部１５、画像処理部１６、及び符号化／復号部１７などに指示を行い、次に説明するような処理を実行させる。
【００４０】
読取部１３は、原稿台又は自動原稿送り装置に載置された原稿の画像を光学的に読み取り、読み取った結果であるＲＧＢ画像データ（ＲＧＢのビットマップデータ）を画像処理部１６に渡す。画像処理部１６は、そのＲＧＢ画像データに対して、Ａ／Ｄ変換、シェーディング補正、γ補正などの各種画像処理（以下、原稿画像処理という）を実行する。ここで、シェーディング処理は、読取部１３の照明系・結像系・撮像系で生じる各種歪みを取り除く処理である。
【００４１】
原稿画像処理としては、Ａ／Ｄ変換、シェーディング補正、γ補正に続き、原稿判別処理、領域分離処理を実行するとよい。原稿判別処理は、入力された画像データ（ここではγ補正後の画像データ）から、原稿の種別を判別する処理と原稿がカラー原稿であるのか白黒原稿であるのかを判別する処理とを含む。原稿の種別としては、例えば文字原稿、印刷写真原稿、それらが混在した文字印刷写真原稿などが挙げられる。画像処理部１６は、これらの原稿判別処理及び白黒／カラー原稿判別処理の結果として、判別信号（以下、原稿判定データという）を出力する。領域分離処理とは、入力された画像データ（ここではγ補正後の画像データ）の各画素がどのような種類の領域に属するのかを判定する処理であり、例えば、各画素が黒文字の領域、色文字の領域、網点の領域などのいずれの領域に属する画素であるのかを判定する処理である。画像処理部１６は、この判定結果として領域分離データを出力する。なお、この領域分離処理は、上述の原稿判別処理及び白黒／カラー判別処理の結果に基づき実行してもよい。
【００４２】
原稿判定データ及び領域分離データは、対応する画像データ（原稿画像処理後の画像データ）に関連付けられて、画像記憶部１５に記憶される。このとき、符号化／復号部１７で原稿判定データ及び領域分離データを符号化した後、各符号化データを対応する画像データと関連付けて画像記憶部１５に記憶する。なお、画像記憶部１５へ記憶する際の符号化は必須ではないが、以下の説明では符号化した状態で画像データが記憶されるものとして説明する。原稿読み取り動作以外の動作についても同様とする。
【００４３】
＜印刷動作＞
上述した原稿読み取り動作により、読み取った原稿の画像データのファイリングまでは完了する。次に、読み取った原稿の画像データを印刷する場合（つまり原稿をコピーする場合）の印刷動作について説明する。印刷を必要とするような処理を行うユーザ操作が操作パネル３０で受け付けられたとき、メイン制御部１８は、記録部１２、画像記憶部１５、画像処理部１６、及び符号化／復号部１７などに指示を行い、次に説明するような処理を実行させる。なお、メイン制御部１８は、例えばコピー操作がなされたときには読取部１３への指示（原稿読み取り指示）も行うことになる。
【００４４】
また、デジタル複合機１は、印刷時に、スタンプ、日付（又は日時）、ページ番号などの付加情報を画像データに付加することが可能になっており、このような付加の指示があった場合にはメイン制御部１８が画像処理部１６を制御する。画像データに付加された付加情報は付加画像であると言える。付加情報は制御用メモリ１９に記憶され、必要に応じて読み出される。勿論、元々付加情報を付加画像のデータとして格納しておいてもよい。また、付加情報を複数、制御用メモリ１９に格納しておくと共に、付加設定情報を制御用メモリ１９に格納しておくとよい。この付加設定情報としては、画像データに対して付加する位置（以下、付加位置という）を示す情報を少なくとも含み、複数の付加情報が格納されている場合にはそのいずれを選ぶかの情報も含むものとする。また、後処理装置でのパンチやステープル処理を実行する指示があった場合には、メイン制御部１８はこの後処理装置も制御する。
【００４５】
符号化／復号部１７は、画像記憶部１５から印刷対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、印刷用画像処理という）を実行する。印刷用画像処理としては、以下にその概略を説明するように、画質調整処理、二色化処理、色補正処理、黒生成／下色除去処理、空間フィルタ処理、変倍処理、出力階調補正処理、及び中間調生成処理などが挙げられる。黒生成／下色除去処理、空間フィルタ処理、及び中間調生成処理は、領域分離データが示す各種領域に応じた処理となる。
【００４６】
画質調整処理としては、復号後の画像データから下地の検出を行って下地除去を行う。また、画質調整処理としては、操作パネル３０によりユーザ設定された設定情報に基づいて、下地除去後の画像データについてＲＧＢの調整（カラー調整、赤み青みといった全体のカラー調整）、明るさの調整、及び鮮やかさの調整も行う。このとき、原稿判定データが示す原稿種別に応じた調整を行ってもよい。
【００４７】
色補正処理としては、画質調整処理後のＲＧＢデータから、ＲＧＢの補色であるＣＭＹ（Ｃ：シアン、Ｍ：マゼンタ、Ｙ：イエロー）を構成要素とするＣＭＹデータを生成し、色再現性を高める処理を行う。黒生成／下色除去処理としては、色補正後のＣＭＹデータから黒（Ｋ）データを生成する黒生成処理と、元のＣＭＹデータから黒生成で得たＫデータを差し引いて新たなＣＭＹデータを生成する下色除去処理とを行う。空間フィルタ処理としては、これら４色のデータであるＣＭＹＫデータに対して強調処理や平滑化処理を行う。画像データを二色（例えば赤と黒）で出力する二色カラーモードが選択された場合には、二色化処理が実行される。二色化処理としては、ＲＧＢデータから指定の二色（この場合、赤色と黒色）を表現するＣＭＹデータに変換する処理を行う。二色カラーモードの場合、黒生成／下色除去処理は二色化処理後のＣＭＹデータに対して実行され、空間フィルタ処理も実行されるが、色補正処理は実行されない。
【００４８】
変倍処理としては、空間フィルタ処理後のＣＭＹＫデータに対し、操作パネル３０でユーザ操作により設定された印刷倍率に基づいて画像拡大処理又は画像縮小処理を行う。印刷倍率とは、読み取られ記憶された画像データが示す画像に対する印刷後の画像の倍率である。勿論、印刷倍率はユーザ操作により得られた倍率に限らず、印刷倍率に対する操作がなかった場合にはデフォルト設定の倍率となる。出力階調補正処理としては、ＣＭＹＫデータに対し、記録用紙等の記録媒体に出力するための出力γ補正処理を行う。中間調生成処理としては、出力階調補正処理後のＣＭＹＫデータに対して、誤差拡散処理やディザ処理により、画像を出力するための階調再現処理を行う。出力階調補正処理や中間調生成処理では、例えば文字領域とそれ以外で処理内容を異ならせるなど、原稿判定データが示す原稿種別に応じた処理を行ってもよい。
【００４９】
中間調生成処理後のＣＭＹＫデータは記録部１２に渡される。付加情報を付加する場合について説明する。付加情報についても印刷データの変倍率に応じて変倍処理を施す方法と、付加情報は印刷データの変倍率に関係なく変倍処理を施さない方法とがある。まず、付加情報も変倍処理する場合には、メイン制御部１８が付加情報及び付加位置を示す情報を読み出して、メイン制御部１８又は画像処理部１６が必要に応じて画像データに変換し、変倍処理の前にこの付加情報の画像データを画像処理部１６に渡す。なお、この変換は元々付加画像データが格納されている場合には必要ない。続いて、画像処理部１６が、付加情報の画像データを、変倍処理前の画像データである付加先の画像データに対し上記付加位置に合成すればよい。
【００５０】
付加情報を変倍処理しない場合には、メイン制御部１８が付加情報及び付加位置を示す情報を読み出して、メイン制御部１８又は画像処理部１６が必要に応じて画像データに変換する。この例では変換によりＣＭＹＫデータとなる。なお、この変換は元々付加画像データが格納されている場合には必要ない。続いて、画像処理部１６が、付加情報の画像データを、変倍処理後の画像データである付加先の画像データ（出力階調補正処理又は中間調生成処理の対象となる上述のＣＭＹＫデータ）に対し上記付加位置に合成すればよい。
【００５１】
いずれの場合にも、画像処理部１６が付加情報を付加した状態の中間調生成処理後のＣＭＹＫデータを出力することができる。なお、デジタル複合機１では、付加情報やその付加位置は、次に説明するプレビュー表示を行いながら操作パネル３０によりユーザ設定可能とする。
【００５２】
記録部１２は、このようにして画像処理部１６で印刷用画像処理が施された画像データ（この例ではＣＭＹＫの画像データ）を受け取り、電子写真方式やインクジェット方式などによりハードコピー（プリントアウト）する。そして、ここで印刷された用紙に対して、後処理装置が必要に応じてパンチやステープル処理を実行する。なお、ここで説明した印刷動作の対象データは、読取部１３で読み取られた画像データに限ったものではなく、例えば、外部記録媒体やネットワーク接続されたＰＣなどから事前に転送され画像記憶部１５に記憶された画像データ（画像ファイル）についても、同様に適用できる。ファクシミリ受信し画像記憶部１５に記憶された画像データの印刷動作については後述する。
【００５３】
＜印刷する画像データのプレビュー表示動作＞
次に、原稿読み取りの結果として画像記憶部１５に記憶された画像データを、印刷前にタッチパネル３２でプレビュー表示する動作（プレビュー表示動作）について説明する。デジタル複合機１は、印刷対象となった画像データについてプレビュー表示（サムネイル表示）を可能にする構成を有する。このプレビュー表示動作は、プレビュー表示を必要とするような処理を行うユーザ操作が操作パネル３０で受け付けられたときに行われる。例えば、原稿読み取り後の画像データに対して印刷実行前にまずプレビュー表示を行う設定になっているときなどにも、プレビュー表示動作がなされる。
【００５４】
メイン制御部１８は、画像記憶部１５、画像処理部１６、符号化／復号部１７、及びパネル制御部１１などに指示を行い、次に説明するような処理を実行させる。なお、メイン制御部１８は、例えば原稿をコピーする操作がなされたときには読取部１３への指示（原稿読み取り指示）も行うことになる。
【００５５】
符号化／復号部１７は、画像記憶部１５からプレビュー対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、プレビュー用画像処理という）を実行する。プレビュー用画像処理としては、以下にその概略を説明するように、画質調整処理、二色化処理、色補正処理、空間フィルタ処理、変倍処理、及び出力階調補正処理などが挙げられる。空間フィルタ処理及び出力階調補正処理は、領域分離データが示す各種領域に応じた処理となる。
【００５６】
ここでの画質調整処理は、印刷用画像処理での画質調整処理と同様である。色補正処理としては、タッチパネル３２の表示特性に基づいて、画質調整処理後の画像データ（ＲＧＢデータ）をＲ′Ｇ′Ｂ′データに変換する処理を行う。空間フィルタ処理としては、このＲ′Ｇ′Ｂ′データに対して強調処理や平滑化処理を行う。
【００５７】
変倍処理としては、空間フィルタ処理後のＲ′Ｇ′Ｂ′データに対し、印刷倍率に応じた画像拡大処理／画像縮小処理を施し、さらにそのＲ′Ｇ′Ｂ′データの画素数をタッチパネル３２の画素数（表示解像度）に変換する処理を行うと共に、操作パネル３０でユーザ操作により設定されたプレビュー表示倍率に基づいて画像拡大処理や画像縮小処理を行う。プレビュー表示倍率とは、例えば２倍、４倍等の固定倍率であって、プレビュー表示時の画像の倍率である。勿論、プレビュー表示倍率はユーザ操作により得られた倍率に限らず、プレビュー表示倍率に対する操作がなかった場合にはデフォルト設定の倍率となる。
【００５８】
画像処理部１６に設けたプレビュー画像生成部１６ａは、主にこのようなプレビュー表示用の変倍処理によりプレビュー表示用の画像（プレビュー画像）を生成する。
【００５９】
ここで、付加情報を付加する場合のプレビュー画像について説明する。本発明のデジタル複合機１では、出力対象の画像データに付加情報を付加して出力する場合、パネル制御部１１が、付加情報を示す付加情報画像を表示させる制御を行う。そのため、プレビュー画像生成部１６ａが、このような付加情報画像を生成し出力対象の画像データから生成したプレビュー画像に合成することで、付加情報画像付きのプレビュー画像を生成する。
【００６０】
付加情報は、印刷倍率に応じて変倍処理を行って印刷対象の画像データと共に出力することができ、また印刷倍率に応じた変倍処理を行った後の印刷対象の画像データに付加して出力することもできる。まず、付加情報も変倍処理して出力する場合には、メイン制御部１８が付加情報の付加位置及び付加情報（又は付加情報の大きさ）を示す情報を読み出して、変倍処理の前に画像処理部１６に渡す。続いて、プレビュー画像生成部１６ａが、この付加情報（又は付加情報の大きさ）から付加情報を示す付加情報画像のＲ′Ｇ′Ｂ′データを生成し、変倍処理前の画像データである付加先の画像データに対し上記付加位置に合成する。そして、付加情報画像を付加後のＲ′Ｇ′Ｂ′データに対し印刷倍率に応じた画像拡大処理／画像縮小処理を施すとよい。
【００６１】
付加情報を変倍処理しない場合には、メイン制御部１８が付加情報の付加位置及び付加情報（又は付加情報の大きさ）を示す情報を読み出して画像処理部１６に渡す。続いて、プレビュー画像生成部１６ａがこの付加情報（又は付加情報の大きさ）から付加情報を示す付加情報画像のＲ′Ｇ′Ｂ′データを生成し、印刷倍率に応じた画像拡大処理／画像縮小処理後のＲ′Ｇ′Ｂ′データに対し上記付加位置に合成し、付加後のＲ′Ｇ′Ｂ′データの画素数をタッチパネル３２の画素数（表示解像度）に変換する処理を行うと共に、操作パネル３０でユーザ操作により設定されたプレビュー表示倍率に基づいて画像拡大処理や画像縮小処理を行うとよい。
【００６２】
また、後処理装置においてパンチやステープル処理を施す場合には、印刷対象となる画像データ（及び付加情報の付加情報画像データ）から生成したプレビュー画像に、パンチ穴やステープル等の後処理を示す画像（便宜上、「付加情報画像」と呼ぶ）のデータを、パンチ位置やステープル位置に合成して出力するとよい。このような処理により、画像データのプレビュー表示時に、画像形成する用紙の仕上がり状態を表示させることができる。
【００６３】
出力階調補正処理としては、付加情報画像付きのプレビュー画像のＲ′Ｇ′Ｂ′データに対し、タッチパネル３２で画像データを表示するための出力γ補正処理を行う。出力階調補正処理では、例えば文字領域とそれ以外で処理内容を異ならせるなど、原稿判定データが示す原稿種別に応じた処理を行ってもよい。
【００６４】
二色化処理は、画像データを例えば赤と黒の二色で出力する二色カラーモードが選択された場合のみに実行される。二色化処理としては、画質調整処理後のＲＧＢデータから指定の二色（この場合、赤色と黒色）を表現するＣＭＹデータに変換する処理を行う。生成されたＣＭＹＫデータは、後段の色補正処理において、タッチパネル３２の表示特性に基づいてＲ′Ｇ′Ｂ′データに変換される。
【００６５】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。ユーザは、付加情報や後処理を示す付加情報画像を含むプレビュー表示された画像を確認して、このまま印刷を実行するか中止するか、或いは付加情報を削除するか、或いは後処理を止めるか、付加位置の変更（又は付加情報の変更）や後処理の位置の変更などを実行するかなどを判断して、それに応じた操作を行うことができる。
【００６６】
なお、ここで説明したプレビュー表示動作の対象データは、読取部１３で読み取られた画像データに限ったものではなく、例えば、外部記録媒体やネットワーク接続されたＰＣなどから事前に転送され画像記憶部１５に記憶された画像データ（画像ファイル）についても、同様に適用できる。ファクシミリ受信し画像記憶部１５に記憶された画像データのプレビュー表示動作については後述する。
【００６７】
＜原稿読み取り・プレビュー表示・印刷についての補足＞
プレビュー表示動作について印刷動作と別個に説明したが、まず印刷動作として出力階調補正処理を施した後の画像データ（ＣＭＹＫデータ）を、タッチパネル３２の表示特性に基づいてＲ′Ｇ′Ｂ′データに変換し、タッチパネル３２の画素数（表示解像度）に合わせた変換処理及びプレビュー表示時の縮小／拡大率に応じた変倍処理を行って、タッチパネル３２に表示してもよい。印刷動作がある程度完了しておりプレビュー表示後の印刷動作が素早く完了できるため、例えばコピー操作がなされたときに事前にプレビュー表示を行うような設定となっている場合などに有用である。このような処理は、付加情報や後処理を示す付加情報画像を付加してプレビュー表示する場合にも適用できる。
【００６８】
また、原稿読み取り動作として、符号化した画像データと原稿種別データと領域分離データとを対応付けて画像記憶部１５に格納する例を挙げ、この例に基づき印刷動作時やプレビュー表示動作についても説明した。この代替方法として、読取部１３で読み込んだ画像データのみを対象として符号化して、一旦、画像記憶部１５に格納しておいてもよい。この場合、印刷動作時やプレビュー表示動作時に、画像記憶部１５から読み出し符号化／復号部１７で復号した画像データに対して、画像処理部１６が原稿種別判別処理や領域分離処理を施すように構成すればよい。また、このような代替方法は、後述するファクシミリ送信やインターネットＦＡＸ送信等の画像データ送信時にも適用することができる。
【００６９】
＜ファクシミリ受信した画像データの印刷動作＞
次に、ファクシミリ通信により受信した画像データの印刷動作について説明する。メイン制御部１８は、モデム２４でファクシミリ通信要求を検知したときに、記録部１２、画像記憶部１５、画像処理部１６、ＮＣＵ２３、及びモデム２４などに指示を行い、次に説明するような処理を実行させる。
【００７０】
まず、モデム２４及びＮＣＵ２３は、通信手続きを行いながら送信元から送信されてくる画像データ（圧縮画像データ）を順次受信し、受信した圧縮画像データの伸張を行うと共に、必要に応じて回転処理（送信方向を回転させる処理）や解像度変換処理などを実行して、画像処理部１６に渡す。
【００７１】
ファクシミリ通信により受信した画像データは白黒２値であるので、画像処理部１６では、伸張等の処理を行った画像データ（Ｋデータ）に対して、特に処理を施さず、そのまま記録部１２に渡される。記録部１２は、この画像データを受け取り、電子写真方式やインクジェット方式などにより印刷を実行する。また、ファクシミリ通信によって受信した画像データに対しても、上述した付加情報を付加した後に印刷することもできる。
【００７２】
モノクロ画像でのファクシミリ受信について説明したが、カラーのファクシミリ画像（ＲＧＢデータ）を受信した際には、画像処理部１６がここで説明したファクシミリ受信用画像処理をこのＲＧＢデータに対して実行するなどすればよい。
【００７３】
＜ファクシミリ受信した画像データのプレビュー表示動作＞
ファクシミリ通信により受信した画像データのプレビュー表示動作について、同画像データの印刷動作に基づき簡単に説明する。このプレビュー表示動作は、受信した画像データを事前に確認してから印刷を実行するような事前設定やユーザ操作があったときなどに行われる。このプレビュー表示動作では、画像処理部１６が、伸張等の処理を施した後の画像データに対して、付加情報の付加や後処理を施す場合にはその付加情報や後処理を示す付加情報画像の画像データを合成した後に、さらにタッチパネル３２の画素数（表示解像度）に合わせた変換処理及びプレビュー表示時の縮小／拡大率に応じた変倍処理を行い、変倍処理後の画像データがタッチパネル３２に表示されることになる。ユーザは、このプレビュー表示された画像を確認して、印刷を実行するか破棄するかや付加情報や後処理の内容や必要性を判断して、印刷又は破棄の操作や、付加情報や後処理の内容の変更の操作を行うことができる。
【００７４】
＜ファクシミリ送信動作＞
次に、読み取った原稿の画像データをファクシミリ送信する場合の送信動作について説明する。ファクシミリ画像データは、タッチパネル３２又はキー操作部３１でのユーザ操作により設定された相手先（送信先）情報に対して送信される。相手先情報（この例では電話番号）は制御用メモリ１９に記憶され、必要に応じて読み出される。通常、相手先情報は、アドレス帳データとして複数の相手先の情報が閲覧可能に且つ選択可能に格納されているか、或いは送信前に直接入力される。
【００７５】
ファクシミリ送信を実行するためのユーザ操作が操作パネル３０で受け付けられたとき、メイン制御部１８は、画像記憶部１５、画像処理部１６、符号化／復号部１７、ＮＣＵ２３、及びモデム２４などに指示を行い、次に説明するような処理を実行させる。なお、メイン制御部１８は、例えば原稿をファクシミリ送信する操作がなされたときには読取部１３への指示（原稿読み取り指示）も行うことになる。なお、画像記憶部１５に記憶された画像データについてプレビュー表示を実行しながら、送信対象の画像データを選択し、その画像データについてファクシミリ送信を開始することも可能である。
【００７６】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、ファクシミリ送信用画像処理という）を実行する。ファクシミリ送信用画像処理としては、以下にその概略を説明するように、画質調整処理、空間フィルタ処理、変倍処理、出力階調補正処理、及び中間調生成処理などが挙げられる。空間フィルタ処理及び中間調生成処理は、領域分離データが示す各種領域に応じた処理とすればよいが、領域分離データを用いなくてもよい。さらに、ファクシミリ送信に伴う原稿読み取り動作では、読み取った画像データに対する領域分離処理やその領域分離データの符号化及び記憶を実行しなくてもよい。
【００７７】
画質調整処理としては、復号後の画像データを、マトリクス係数を用いてＫデータに変換する。このとき、原稿判定データが示す原稿種別に応じたマトリクス係数を用いてもよい。空間フィルタ処理としては、このＫデータに対して強調処理や平滑化処理を行う。変倍処理としては、空間フィルタ処理後のＫデータに対し、操作パネル３０で設定された送信解像度又はデフォルト設定の送信解像度に応じて画像拡大処理や画像縮小処理を行う。出力階調補正処理としては、変倍処理後のＫデータに対し、例えば送信先における記録用紙等の記録媒体に出力することを目的とした出力γ補正処理を行う。実際には、送信先の機器を考慮した出力γ補正でなく一般的な機器に対する出力γ補正を行えばよい。中間調生成処理としては、出力階調補正処理後のＫデータに対して、例えば誤差拡散処理により二値化を行う。出力階調補正処理や中間調生成処理では、原稿判定データが示す原稿種別に応じた処理を行ってもよい。
【００７８】
モノクロ画像でのファクシミリ送信について説明したが、カラー画像でのファクシミリ送信の際には、画像処理部１６が上述のファクシミリ送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【００７９】
中間調生成処理後の画像データは、必要に応じて回転処理が施され、符号化／復号部１７でファクシミリ送信時の圧縮形式で圧縮符号化されて、画像記憶部１５に一時的に保存される。モデム２４は、ＮＣＵ２３を介して設定された送信先との送信手続きを行い、送信先との通信を確立した段階（送信可能な状態にした段階）で、この一時的に保存されている符号化されたＫデータを読み出し、圧縮形式の変更などの必要な処理の後に公衆回線網を介して送信先に順次送信する。
【００８０】
そして、デジタル複合機１は、送信対象の画像データにも、付加情報を付加して送信することが可能となっている。この例のように画像データを外部へ送信する際には、付加情報として、スタンプ、日付（日時）、ページ番号の他に、送信元情報（発信元情報）も付加情報を付加することが可能となっている。ここで、画像データ送信時に付加する送信元情報には、送信者の名称の情報、送信元の電話番号の情報、送信元の電子メールアドレスの情報のいずれか１又は複数を含むとよい。また、付加情報としては、画像データ送信時には送信先の情報（相手先の情報）なども付加してもよい。
【００８１】
付加情報を付加してファクシミリ送信する場合には、次のような合成処理を行えばよい。メイン制御部１８が付加情報及び付加位置を示す情報を読み出して、メイン制御部１８又は画像処理部１６が画像データに変換し、画像処理部１６が、変換後の画像データ（付加情報の画像データ）を、変倍処理後の画像データである付加先の画像データに対し上記付加位置に合成すればよい。デジタル複合機１では、付加情報の画像データを付加する位置は、次に説明するプレビュー表示を行いながら操作パネル３０によりユーザ設定可能とする。この合成後の画像データは、上述した出力階調補正処理や回転処理や圧縮処理などが施された後に、送信先に送信されることになる。
【００８２】
＜ファクシミリ送信する画像データのプレビュー表示動作＞
デジタル複合機１は、ファクシミリ送信等で送信対象となった画像データについてプレビュー表示を可能にする構成を有する。このプレビュー表示動作は、送信前の画像データを事前に確認してから送信を実行するような事前設定やユーザ操作があったときなどに行われる。ファクシミリ送信対象となる画像データのプレビュー表示動作について、同画像データのファクシミリ送信動作に基づき説明する。プレビュー表示動作においてはメイン制御部１８はパネル制御部１１への指示も行う。
【００８３】
このプレビュー表示動作では、画像処理部１６が、画質調整処理、及び空間フィルタ処理（及び変倍処理）まではファクシミリ送信時と同じ処理を行い、プレビュー画像生成部１６ａによるプレビュー画像生成処理を実行し、出力階調補正処理として画像データを表示するための出力γ補正処理を行うとよい。このプレビュー画像生成処理として、プレビュー画像生成部１６ａは、送信解像度に応じた画像拡大処理／画像縮小処理を施した画像データに対して、タッチパネル３２の画素数（表示解像度）に合わせた変換処理及びプレビュー表示時の縮小／拡大率に応じた変倍処理を行うことでプレビュー画像のデータを生成する。なお、このプレビュー表示動作では、空間フィルタ処理は実行されなくてもよく、また中間調生成処理は実行されない。
【００８４】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。
【００８５】
付加情報を付加して送信する場合のプレビュー画像について説明する。付加情報は、送信解像度に応じた変倍処理を行った後の画像データに付加して出力する。より具体的には、メイン制御部１８が付加情報の付加位置及び付加情報を読み出して画像処理部１６に渡す。続いて、プレビュー画像生成部１６ａがこの付加情報から付加情報を示す付加情報画像のＲ′Ｇ′Ｂ′データを生成し、送信解像度に応じた画像拡大処理／画像縮小処理後のＲ′Ｇ′Ｂ′データに対し上記付加位置に合成すればよい。なお、ファクシミリ送信等の画像データ送信時には後処理について特に考慮しなくてよい。
【００８６】
このようにして付加情報画像が合成された画像データは、上述したプレビュー表示時の出力階調補正処理（画像データを表示するための出力γ補正処理）が施された後に、パネル制御部１１によりＧＵＩ画像に組み込まれてタッチパネル３２に表示されることになる。ユーザは、この付加情報画像を含むプレビュー表示された画像を確認して、このままファクシミリ送信を実行するか中止するか、或いは付加情報を削除するか、付加位置の変更（又は付加情報の変更）などを実行するかなどを判断して、それに応じた操作を行うことができる。
【００８７】
＜インターネット経由による画像データの送信動作＞
次に、読み取った原稿の画像データを、インターネット経由による電子メール又はインターネットＦＡＸで送信する場合の送信動作について説明する。このようなインターネット経由での送信で対象となる画像データについても、タッチパネル３２又はキー操作部３１でのユーザ操作により設定されて制御用メモリ１９に格納された送信先情報（この例では電子メールアドレス）に対して送信される。
【００８８】
インターネット経由による送信に係るユーザ操作が操作パネル３０で受け付けられたとき、メイン制御部１８は、フォーマット変換部１４、画像記憶部１５、画像処理部１６、符号化／復号部１７、及びＬＡＮ制御部２１などに指示を行い、次に説明するようなインターネット経由による送信処理を実行させる。なお、メイン制御部１８は、例えば原稿をインターネット経由で送信する操作がなされたときには読取部１３への指示（原稿読み取り指示）も行うことになる。
【００８９】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、インターネット送信用画像処理という）を実行する。インターネット送信用画像処理としては、ファクシミリ送信用画像処理において説明した、画質調整処理、空間フィルタ処理、変倍処理、出力階調補正処理、及び中間調生成処理などが挙げられる。
【００９０】
また、カラー画像での送信の際の画像処理もファクシミリ送信用画像処理と同様であり、画像処理部１６がインターネット送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【００９１】
符号化／復号部１７は、インターネット送信用画像処理後の画像データを符号化（圧縮）して、圧縮ファイルを得る。この圧縮は、原稿１ページ単位で行われる。次いで、フォーマット変換部１４が、これらの圧縮ファイルを１つのファイルに変換し、このファイルを、例えばＭＩＭＥ（Multipurpose Internet Mail Extension）に従ってマルチパートメールに添付する。ここまでの処理により、読み取られた画像データは電子メールのフォーマットに変換される。この電子メールは、ＬＡＮ制御部２１によりＬＡＮインターフェースを介してＳＭＴＰ（Simple Mail Transfer Protocol）等のメール転送プロトコルを用いて、インターネット経由で送信先に送信される。
【００９２】
ここで、インターネットファクシミリ送信の場合、符号化／復号部１７が例えばＭＨのようなファクシミリ専用の圧縮形式で圧縮し、フォーマット変換部１４が得られたページ単位の圧縮ファイルを例えば１つのＴＩＦＦファイルに変換すればよい。また、電子メールに添付ファイルとして添付するだけの送信の場合（所謂scan to e-mailによる送信の場合）、符号化／復号部１７が例えばＪＰＥＧのような圧縮形式で圧縮し、フォーマット変換部１４が得られたページ単位の圧縮ファイルを例えば１つのＰＤＦファイルに変換すればよい。
【００９３】
また、デジタル複合機１は、送信対象の画像データがインターネット経由で送信する画像データであっても、ファクシミリ送信画像データの場合と同様に、付加情報を付加して送信することが可能となっている。付加情報の付加処理としては、ファクシミリ送信時について説明した合成処理を実行すればよく、上述した出力階調補正処理、圧縮処理、フォーマット変換処理などが施された後に、電子メールとして送信先のアドレスに送信されることになる。
【００９４】
＜インターネット経由で送信する画像データのプレビュー表示動作＞
ファクシミリ送信時のプレビュー表示について説明したのと同様に、本発明のデジタル複合機１は、インターネット経由で送信する対象となった画像データも、タッチパネル３２でプレビュー表示可能に構成することができる。
【００９５】
このプレビュー表示動作では、ファクシミリ送信時のプレビュー表示について説明したのと同様に、画像処理部１６が、画質調整処理、及び空間フィルタ処理（及び変倍処理）まではインターネット送信用画像処理と同じ処理を行い、プレビュー画像生成部１６ａによるプレビュー画像生成処理を実行し、出力階調補正処理として画像データを表示するための出力γ補正処理を行うとよい。プレビュー画像生成部１６ａで生成され出力階調補正処理されたＲ′Ｇ′Ｂ′データは、タッチパネル３２に渡され、パネル制御部１１によりＧＵＩ画像に組み込まれてタッチパネル３２に表示されることになる。また、付加情報画像の付加についても、ファクシミリ送信時のプレビュー表示についての説明が援用できる。
【００９６】
＜本発明に係る、画像データ出力（送信又は印刷）前のプレビュー表示の説明＞
以上、コピー時やファクシミリ受信時について印刷前のプレビュー表示動作を説明し、ファクシミリ送信時やインターネット経由の画像データ送信時についてプレビュー表示動作を説明したように、本発明に係るデジタル複合機１では、出力対象となった画像データについて、画像記憶部１５から読み出してそのプレビュー画像を生成するプレビュー画像生成部１６ａを有する。プレビュー画像生成部１６ａで生成されたプレビュー画像は、メイン制御部１８の制御によりタッチパネル３２に送られ、パネル制御部１１によりＧＵＩ画像に組み込んで表示する制御がなされ、タッチパネル３２に表示される。このように、タッチパネル３２は、出力対象の画像データをプレビュー表示する画像表示部の一例である。
【００９７】
ここで、出力対象の画像データは、読取部１３で例示したスキャナ装置、ＵＳＢ  Ｉ／Ｆ２５に接続されるＵＳＢメモリで例示した着脱可能な記憶装置、ＬＡＮ又は回線で例示した通信回線のいずれかから入力された画像データであってよい。若しくは、出力対象の画像データは、デジタル複合機１内に設けられた画像記憶部１５で例示した記憶装置から読み出された画像データであってもよい。
【００９８】
そして、上述したように本発明に係るデジタル複合機１では、出力対象の画像データに付加情報を付加して出力することや、出力対象の画像データを記録用紙に印字してその記録用紙に後処理を施すことが可能となっている。なお、デジタル複合機１は、付加情報の付加と後処理とのいずれか一方のみ実行可能なように構成されていてもよい。
【００９９】
さらに、上述したように本発明のデジタル複合機１では、メイン制御部１８の制御に基づきパネル制御部１１が、付加情報や後処理を示す付加情報画像をタッチパネル３２に表示させる制御を行う。そのため、プレビュー画像生成部１６ａが、このような付加情報画像を生成し、出力対象の画像データから生成したプレビュー画像に合成することで、付加情報画像付きのプレビュー画像を生成する。合成位置は、付加情報の付加位置又は後処理を施す位置に相当するプレビュー画像の位置となる。
【０１００】
そして、本発明の主たる特徴として、パネル制御部１１は、付加情報画像が合成される部分（合成部分）を拡大してタッチパネル３２に表示させる制御を行う。このような拡大表示は、例えば最初のプレビュー表示時に実行してもよいし、付加情報画像を表示しないプレビュー画像において「仕上がり表示」などのキーを選択することで実行してもよい。付加情報画像付きのプレビュー画像において、付加情報画像は特徴部分と言える。従って、付加情報画像を拡大してプレビュー表示することは、プレビュー画像の特徴部分を視認し易い位置に表示することを意味する。また、一般的なプレビュー表示処理としては、プレビュー画像を表示する際にその左上をタッチパネル３２のプレビュー表示領域の左上に合わせるなどしてなされるが、本発明では、特徴部分を認識し易い位置で表示させるため、付加情報画像付きのプレビュー画像全体の表示位置を左上位置から移動させて表示する。但し、元々左上に付加情報画像がある場合にはこのような全体移動は不要である。
【０１０１】
このように、プレビュー画像生成部１６ａ及びパネル制御部１１は、プレビュー表示時に、付加情報画像が合成される合成部分を拡大して表示させる制御を、画像表示部に行う表示制御部の一例である。
【０１０２】
本発明は、このような構成により、出力対象となる画像データに付加情報を付加して出力する場合やパンチやステープルといった後処理を記録媒体に施して出力する場合に、拡大、縮小、移動といった煩雑なユーザ操作を必要とせず、プレビュー表示時に付加される付加情報や施される後処理といった特徴部分を容易にまた確実に画像形成の最終状態を確認することが可能になる。つまり、本発明によれば、出力時に、スタンプ、日付、ページ番号などの付加情報を画像データに付加する場合や後処理が施される場合であっても、プレビュー表示画面において、そのような付加情報や後処理と画像データとの位置関係を容易に確認することができ、その確認に基づき位置関係を調整することができる。
【０１０３】
＜プレビュー表示の具体例＞
以下、図４〜図２６を参照し、出力対象画像データに付加する付加情報や後処理を示す付加情報画像について、またそのプレビュー表示の流れについて、その具体例を挙げながら説明する。以下の例では主にコピー時の印刷を例に挙げるが、上述したように、ファクシミリ受信時の印刷、ＵＳＢメモリ等から読み取った画像データの印刷、ファクシミリ送信、インターネットＦＡＸ送受信時等でも同様である。
【０１０４】
図４は、図２及び図３で説明したデジタル複合機の標準画面の例を示す図である。図４では、標準画面として、デジタル複合機１においてタッチパネル３２に表示されるＧＵＩ画像の一例（ＧＵＩ画像４０とする）を示している。標準画面のＧＵＩ画像４０は、デジタル複合機１の電源がＯＮになったりリセットされたときにタッチパネル３２に表示される。このＧＵＩ画像４０では、デジタル複合機１の動作モードを選択するために、コピーモード選択キー４１、イメージ送信モード選択キー４２、ドキュメントファイリングモード選択キー４３が表示されており、ＧＵＩ画像４０ではコピーモードが選択されている状態を示す。
【０１０５】
コピーモードでは、コピーを行うための各種の条件設定が可能となっている。例えば、片面・両面コピーの設定を行うための両面コピーキー、パンチやステープルの後処理の設定を行うための仕上げキー、その他コピー時の詳細設定を行うための特別機能キー４４、スキャナによって読み取られた画像や外部機器から入力された画像やＨＤＤ等の記憶装置に記憶された画像の仕上がり状態を確認するためのプレビュー確認キー４５、パンチ処理やステープル処理などの仕上げ処理（後処理）を設定するための仕上げキー等を備えている。ユーザは、タッチパネル３２を使用してプレビュー確認キー４５を操作することによって、画像データのプレビューを表示させることが可能になっている。なお、キー４２やキー４３を選択することで、イメージ送信モードやドキュメントファイリングモードへ移行するが、このとき、各モードに応じた各種設定が可能なように各モードでの設定用のＧＵＩ画像が表示される。
【０１０６】
図５は、図４のＧＵＩ画像において、コピー時の詳細設定を行う特別機能キーを選択した際に表示されるＧＵＩ画像の一例を示す図で、図６は、図５のＧＵＩ画像において、矢印キーを選択した際に表示されるＧＵＩ画像の一例を示す図である。なお、個々に説明しないが、図５及び図６を含む後述の図では、ＯＫキーやキャンセルキーを表示しており、ＯＫキーの押下後はその設定を保存するなどして前の画面に戻り、キャンセルキー押下後はその設定を破棄して前の画面に戻るなどすればよい。
【０１０７】
図５で示すＧＵＩ画像４６では、とじしろ、中とじなどの各種設定項目が選択可能に表示されていると共に、設定項目が多く存在するため、矢印キー４７が表示されている。この矢印キー４７の選択により、図６のＧＵＩ画像４８のように他の設定項目が選択可能に表示される。ＧＵＩ画像４８には、他の設定項目として印字メニューキー５０等が選択可能に表示されていると共に、ＧＵＩ画像４６へ戻るための矢印キー４９も表示されている。
【０１０８】
図７は、図６のＧＵＩ画像において、印字メニューキーを選択した際に表示されるＧＵＩ画像の一例を示す図で、図８は、図７のＧＵＩ画像において、矢印キーを選択した際に表示されるＧＵＩ画像の一例を示す図である。図７で示すＧＵＩ画像５１は、図６の印字メニューキー５０が選択されることにより表示され、これにより印刷時に付加する付加情報の内容の設定が可能となる。
【０１０９】
図７で示すＧＵＩ画像５１では、日付キー５２、スタンプキー５３、ページ数キー５４、文字キー５５が選択可能に表示されている。日付キー５２は日付を入力設定するためのキー、スタンプキー５３は“重要”、“極秘”等の定型スタンプを設定するためのキー、ページ数キー５４は記録紙に印刷するページ番号を設定するためのキー、文字キー５５はユーザが付加情報として所望する文字を入力するためのキーである。
【０１１０】
また、これら４つのキー５２〜５５の右側には、「日付」、「スタンプ」、「ページ数」、「文字」の各付加情報を記録紙のどの位置（上部左、上部中央、上部右、下部左、下部中央、下部右）に設定するか、又は設定されているかを確認する付加情報確認画像５６が表示されている。図７における付加情報確認画像５６は、どの位置にも付加情報が設定されていない状態を示している。ＧＵＩ画像５１では、付加情報が１つも設定されていない状態であるため、後述する印字レイアウトキー５７も選択不可の状態で表示されている。付加情報設定後の画像については、図９等を参照しながら後述する。
【０１１１】
図７で示すＧＵＩ画像５１では、付加情報に関する設定項目が多く存在するため、矢印キー５８も表示されている。この矢印キー５８の選択により、図８のＧＵＩ画像５９のように他の設定項目が表示される。ＧＵＩ画像４８には、他の設定項目として原稿セット方向（縦置き／横置き）、両面原稿種類（横開きの両面原稿／縦開きの両面原稿）、合紙へのスタンプ印刷の有無などが設定可能に表示されていると共に、ＧＵＩ画像５１へ戻るための矢印キー６０も表示されている。
【０１１２】
図９は、図６のＧＵＩ画像において、印字メニューキーを選択した際に表示されるＧＵＩ画像の他の例を示す図で、付加情報が設定されている場合のＧＵＩ画像の例を示す図である。図９で示すＧＵＩ画像７０では、付加情報確認画像５６が、図７のそれとは異なり、付加情報が設定されている状態を示す画像となっている。より具体的に説明すると、記録紙に対応する画像（記録紙画像）７１ｐに対する付加位置（上部左、上部中央、上部右、下部左、下部中央、下部右）のそれぞれを示すように表示すると共に、各付加位置に関連付けて設定状態を示すための状態提示画像７１ａ〜７１ｆを表示しているが、図９では、この画像７１ａ〜７１ｆの少なくとも１つ（この例では画像７１ａで示す上部左側）が付加情報が設定されている状態を示している。また、ＧＵＩ画像７０では、印字レイアウトキー５７ａも選択可能な状態で表示されている。
【０１１３】
ここで、図９で例示した、状態提示画像７１ａ〜７１ｆにおける設定状態の区別の方法について説明する。印字メニューが未設定且つ未選択の印字位置については、状態提示画像７１ｂ、７１ｄ、７１ｅ、７１ｆのように未反転で表示される。現在選択中の印字位置については、状態提示画像７１ｃのように全反転で表示される。既に他の印字メニューが設定済みの印字位置については、状態提示画像７１ａのようにキー内部のみを反転させて表示される。印字内容が設定されていない位置を選択すると、選択された位置が全反転表示になり、その前に選択されていたキーが、印字設定がなされていない場合には未反転表示となり、印字設定がなされている場合には内部反転表示となる。
【０１１４】
図１０は、図７又は図９のＧＵＩ画像において、日付キーを選択した際に表示されるＧＵＩ画像の一例を示す図である。また、図１１は、図１０のＧＵＩ画像において、印字カラーキーを選択した際に表示されるＧＵＩ画像の一例を示す図で、図１２は、図１０のＧＵＩ画像において、日付変更キーを選択した際に表示されるＧＵＩ画像の一例を示す図である。
【０１１５】
図１０に示すＧＵＩ画像７２は、図７のＧＵＩ画像５１又は図９のＧＵＩ画像７０から日付キー５２を選択した場合に表示される。ＧＵＩ画像７２では、表示する日付の形式が４種類の形式７３から選択可能に表示されており、日付の区切りの記号７４も選択可能に表示されている。ＧＵＩ画像７２には、さらに、印刷する色を選択するための印字カラーキー７５、任意の日付を入力して日付の変更を行うための日付変更キー７６、並びに、日付を先頭ページ又は全ページのいずれに付与するかを設定するための付与ページ選択キー７７が、選択可能に表示されている。印字カラーキー７５の選択により図１１のＧＵＩ画像７８に移行し色の設定が可能となっている。また、日付変更キー７６の選択により図１２のＧＵＩ画像７９に移行し日付の設定が可能となっている。
【０１１６】
図１３は、図７又は図９のＧＵＩ画像において、スタンプキーを選択した際に表示されるＧＵＩ画像の一例を示す図で、図１４は、図１３のＧＵＩ画像において、印字カラーキーを選択した際に表示されるＧＵＩ画像の一例を示す図である。
【０１１７】
図１３に示すＧＵＩ画像８０は、図７のＧＵＩ画像５１又は図９のＧＵＩ画像７０から、スタンプキー５３を選択した場合に表示される。ＧＵＩ画像８０では、定型のスタンプとして、「極秘」、「回覧」、「至急」、「回収」、「仮発行」、「ＵＲＧＥＮＴ」、「重要」、「コピー厳禁」、「仮」、「発行」、「ＣＯＮＦＩＤＥＮＴＩＡＬ」、「ＤＲＡＦＴ」のそれぞれに対応する各キー８１が選択可能に表示されている。各キー８１のいずれかを選択することで、付加する定型スタンプ文字（定型スタンプ画像）が設定できる。例えば、ＣＯＮＦＩＤＥＮＴＩＡＬキー８１ａを選択することで、「ＣＯＮＦＩＤＥＮＴＩＡＬ」といったスタンプ文字が設定できる。また、ＧＵＩ画像８０では、印刷する色と印字濃度を選択するための印字カラーキー８２、印字サイズを選択するためのサイズキー８３、その定型スタンプを先頭ページ又は全ページのいずれに付与するかを設定するための付与ページ選択キー８４が、選択可能に表示されている。例えば、印字カラーキー８２の選択により図１４のＧＵＩ画像８５に移行し、色の設定及び濃度の設定が可能となる。
【０１１８】
図１５は、図７又は図９のＧＵＩ画像において、ページ数キーを選択した際に表示されるＧＵＩ画像の一例を示す図で、図１６は、図１５のＧＵＩ画像において、ページ番号キーを選択した際に表示されるＧＵＩ画像の一例を示す図である。
【０１１９】
図１５で示すＧＵＩ画像８６は、図７のＧＵＩ画像５１又は図９のＧＵＩ画像７０から、ページ数キー５４を選択した場合に表示される。ＧＵＩ画像８６では、印刷するページの形式が６種類の形式８７から選択可能に表示されている。また、ＧＵＩ画像８６では、ページ番号を印刷する色を選択するための印字カラーキー８８、ページ番号を印刷するページ数を設定するための総ページ数キー８９、並びに、印刷するページ番号を任意に設定するためのページ番号キー９０が、選択可能に表示されている。
【０１２０】
印字カラーキー８８の選択により図１１のＧＵＩ画像７８に移行し、ページ番号の印刷色の設定が可能となる。総ページ数キー８９において、自動キーを選択することで、読み取った原稿枚数と一致したページ番号が付加され、手動キーを選択することで、テンキーから１〜９９９の総ページ数を手動で入力することができる。ページ番号キー９０の選択により、図１６のＧＵＩ画像９１へ移行し、付与するページ番号が任意に設定可能になる。ＧＵＩ画像９１において、自動キーを選択することでページ番号を自動的に付与することができ、手動キーを選択することで、ページ番号の開始番号、印字開始ページが設定可能になる。また、ＧＵＩ画像９１では、ページ番号を付与する際、表紙や合紙にページ番号を付与するか否かを設定する表紙／合紙カウントキーも、選択可能に表示している。この表紙／合紙カウントキーを選択することにより、図示しないＧＵＩ画像に移行し、「表紙」、「合紙」、「裏表紙」のそれぞれに対してページ番号を印刷するかを設定することが可能になる。これにより、「表紙」、「合紙」、「裏表紙」のいずれか１又は複数にページ番号を印字するか、いずれにも印字しないかなどが設定できる。
【０１２１】
図１７は、図７又は図９のＧＵＩ画像において、文字キーを選択した際に表示されるＧＵＩ画像の一例を示す図である。また、図１８は、図１７のＧＵＩ画像において、定型文キーのうちの呼出キーを選択した際に表示されるＧＵＩ画像の一例を示す図で、図１９は、図１７のＧＵＩ画像において、直接入力キーを選択した際に表示されるＧＵＩ画像の一例を示す図である。
【０１２２】
図１７で示すＧＵＩ画像９２は、図７のＧＵＩ画像５１又は図９のＧＵＩ画像７０から、文字キー５５を選択した場合に表示される。ＧＵＩ画像９２では、呼出キーと登録／消去キーとを含む定型文キー９３が、選択可能に表示されている。この定型文キー９３のうち、呼出キーによりユーザによって予め登録された定型文を読み出し、図１８のＧＵＩ画像９７のように一覧表示することが可能となっている。また、定型文キー９３のうち登録／消去キーにより、ユーザによって予め登録された定型文を同様に読み出してＧＵＩ画像で一覧表示させ、対象を選択させて編集や削除を実行させることが可能となっている。また、登録／消去キーでは、同じく一覧表示させた後、新たな定型文を図１９のＧＵＩ画像９８を表示させて直接入力させて、登録することが可能となっている。
【０１２３】
また、ＧＵＩ画像９２では、文字を印刷する色を選択するための印字カラーキー９４、文字を直接入力するための直接入力キー９５、並びに、その文字を先頭ページ又は全ページのいずれに付与するかを設定するための付与ページ選択キー９６が、選択可能に表示されている。印字カラーキー９４の選択により図１１のＧＵＩ画像７８に移行し、色の設定が可能となっている。直接入力キー９５を選択することで、図１９のＧＵＩ画像９８に移行し、表示させたキーボード画像９９により、日本語、英語等のユーザが所望する文字を任意に入力することが可能になっている。
【０１２４】
図２０は、図９のＧＵＩ画像において、印字レイアウトキーを選択した際に表示されるＧＵＩ画像の一例を示す図である。図２０で示すＧＵＩ画像１００は、図９のＧＵＩ画像７０から印字レイアウトキー５７ａを選択した場合に表示される。なお、この印字レイアウトキー５７ａは、上述したように、図７のＧＵＩ画像５１のような初期画面ではグレーアウトし選択不可能となっており、「日付」、「スタンプ」、「ページ数」、「文字」のいずれかの付加情報が記録紙のいずれかの位置（上部左、上部中央、上部右、下部左、下部中央、下部右）に設定されることで選択可能となる。ここでは、１つでも付加情報の内容が設定されていることを条件にレイアウト変更可能であるものとして説明しているが、付加情報の内容が１つも設定されていなくても、図７の印字レイアウトキー５７も選択可能に表示しておき、それを選択することで同様のＧＵＩ画像１００へ移行させ、まず付加情報を付加する位置を最初に設定させてもよい。
【０１２５】
図２０に示すＧＵＩ画像１００では、記録紙に対応する画像（記録紙画像）１０１を付加位置（上部左、上部中央、上部右、下部左、下部中央、下部右）のそれぞれを示すように表示すると共に、各付加位置に付加する付加情報を分かり易く表示させるための位置別付加情報表示領域１０２を表示している。そして、位置別付加情報表示領域１０２には、各位置に設定されている付加情報の内容が表示されている。ＧＵＩ画像１００の例では、上部左側の領域に「ＣＯＮＦＩＤＥＮＴＩＡＬ」の定型スタンプ１０３ａが印字されるように設定され、さらに上部右側の領域に日付スタンプ１０３ｂが印字されるように設定された状態を示している。
【０１２６】
そして、この状態において、上部左側の定型スタンプ１０３ａ又は上部右側の日付スタンプ１０３ｂが選択されると、図示されていないＧＵＩ画像に移行し、選択されたスタンプの削除や位置移動が可能となっている。位置の移動に関し、上部左、上部中央、上部右、下部左、下部中央、下部右の各付加位置においても、定型スタンプ１０３ａで図示すように最下部に付加する設定や、日付スタンプ１０３ｂで図示するように中間部に付加する設定や、最上部に付加する設定なども、選択可能となっている。また、スタンプ１０３ａやスタンプ１０３ｂが選択された場合、例えば図９のＧＵＩ画像７０又は図１７のＧＵＩ画像９２に戻るなどしてもよい。これにより、スタンプ１０３ａ、１０３ｂの選択時に、各付加情報の内容を編集又は削除するユーザ操作や、新たな付加情報を追加するユーザ操作を受け付けることができる。そして、受け付けたユーザ操作に基づき付加情報を変更することができる。
【０１２７】
図４〜図２０のようなユーザインターフェース画像により、後処理の内容及びその位置と付加情報の内容及び付加位置とが設定された後のプレビュー表示例について、図２１〜図２５を参照して説明する。
【０１２８】
図２１〜図２３は、図２及び図３で説明したデジタル複合機におけるプレビュー表示画面の例を示す図で、図２１はコピーモード時のプレビュー表示例であり、図２２はイメージ送信モード時のプレビュー表示例であり、図２３はドキュメントファイリングモード時のプレビュー表示例である。また、図２４は、図２１のプレビュー表示画面において仕上がり表示キーを選択したときのＧＵＩ画像の一例を示す図で、図２５は、図２１のプレビュー表示画面において仕上がり表示キーを選択したときのＧＵＩ画像の他の例を示す図である。
【０１２９】
図２１に示すＧＵＩ画像１０５は、図４のＧＵＩ画像４０のプレビュー確認キー４５を選択することで（他の画面に移行することなく）表示される。ＧＵＩ画像１０５では、プレビュー画像生成部１６ａが印刷対象の画像データから上述のごとく生成したプレビュー画像１０６がパネル制御部１１によりタッチパネル３２に表示される。
【０１３０】
このプレビュー画像１０６は縮小した画像データをページ毎に示すものである。そのため、ＧＵＩ画像１０５には、プレビュー表示している画像データのページを変更するために、現ページを示す情報１０８と共に、ページ切換キー１０７が表示されている。移動キー１０７には、最初のページを表示するためのトップページ移動キー、現ページの前のページを表示するための前ページ移動キー、現ページの次のページを表示するための次ページ移動キー、及び最後のページを表示するためのラストページ移動キーが含まれる。プレビュー画像１０６は、このようにページ毎に表示され、ユーザはページ切換キー１０７を適宜操作することによって、任意のページのプレビュー画像を表示させることができる。
【０１３１】
ＧＵＩ画像１０５では、さらに、設定確認キー１１１、拡大／縮小キー１１２、表示の回転キー１１３などが選択可能に表示されていて、ユーザはこれらを適宜操作することによって、プレビュー画像１０６の設定を確認したり、プレビュー画像１０６を拡大／縮小或いは回転させて確認することができる。また、ＧＵＩ画像１０５では再設定キー１０９が選択可能に表示されている。プレビュー画像１０６を確認することで印刷条件を再設定する必要が生じた場合など、ユーザは再設定キー１０９を操作することにより、印刷条件（後処理や付加情報の付加処理の設定も含む）を再設定するためのＧＵＩ画像を表示させることができる。そして再設定画面を使用して印刷条件を再設定し、再設定した印刷条件に基づくプレビュー画像１０６を表示させることができる。また、ＧＵＩ画像１０５には、コピー開始キー１１４が選択可能に表示されていて、ユーザがこのコピー開始キー１１４を操作することによって、プレビュー表示された画像データを画像形成（印刷）する処理が開始される。なお、このようなＧＵＩ画像１０５中のプレビュー画像１０６は、ファクシミリ受信時にも同様に表示させるとよい。
【０１３２】
また、ＧＵＩ画像１０５では、仕上がり状態の表示を行わせるための仕上がり表示キー１１０も表示される。仕上がり表示キー１１０の選択後のＧＵＩ画像については図２４や図２５を参照して後述する。
【０１３３】
図２１を参照してコピーモード時のプレビュー表示について説明したが、イメージ送信モード時、ドキュメントファイリングモード時のプレビュー表示は、それぞれ図２２のＧＵＩ画像１１５、図２３のＧＵＩ画像１１７で例示するようになる。なお、付加情報が設定されていないときにも、当然、図２１〜図２３のＧＵＩ画像１０５、１１５、１１７は表示できる。
【０１３４】
ＧＵＩ画像１１５は、図４のＧＵＩ画像４０において、イメージ送信モード選択キー４２の選択時に表示されるプレビュー確認キー（プレビュー確認キー４５と同様のキー）を選択することで表示される。ＧＵＩ画像１１５では、プレビュー画像生成部１６ａがファクシミリ送信等の送信対象の画像データから上述のごとく生成したプレビュー画像１０６が、パネル制御部１１によりタッチパネル３２に表示される。ＧＵＩ画像１１５では、コピー開始キー１１４の代わりに送信開始キー１１６が選択可能に表示されていて、ユーザがこの送信開始キー１１６を操作することによって、プレビュー表示された画像データを所定の送信先に送信する処理が開始される。
【０１３５】
ＧＵＩ画像１１７は、図４のＧＵＩ画像４０において、ドキュメントファイリングモード選択キー４３の選択時に表示されるプレビュー確認キー（プレビュー確認キー４５と同様のキー）を選択することで表示される。ＧＵＩ画像１０５では、読取部１３で読み取るなどして得たファイリング対象の画像データからプレビュー画像生成部１６ａが上述のごとく生成したプレビュー画像１０６が、パネル制御部１１によりタッチパネル３２に表示される。ＧＵＩ画像１１７では、コピー開始キー１１４の代わりに保存開始キー１１８が選択可能に表示されていて、ユーザがこの保存開始キー１１８を操作することによって、プレビュー表示された画像データを画像記憶部１５にファイリングする処理が開始される。
【０１３６】
図２４及び図２５を参照して、コピーモード（又はファクシミリ受信時）の印刷に関し、仕上がり状態の表示について説明する。イメージ送信時やファイリング時も基本的に同様であるが、後処理装置による後処理が含まれることがない点が異なる。ユーザは、図２１のＧＵＩ画像１０５により画像データのプレビュー画像１０６が表示されている状態で、仕上がり表示キー１１０を操作することによって、印刷後の仕上がり状態をプレビューとして確認することができる。仕上がり状態の表示は、特徴部分（付加情報及び後処理を示す付加情報画像の部分）を認識可能に表示するものであり、具体的には画像形成の最終状態を確認できるように、自動的に特徴部分を抽出して拡大して表示（表示位置は視認し易い位置となる）するものである。
【０１３７】
ユーザによって設定された「重要」や「回覧」といった定型スタンプ画像やページ番号等のスタンプ画像、「パンチ」や「ステープル」が施される部分が認識しやすく表示されるため、ユーザは無駄な拡大・縮小・移動の操作を行うことなく、設定された付加情報や後処理の内容を容易に確認することができる。また、全体画像を確認することなく、必要な付加情報や後処理の内容を確認するだけで、ユーザは印刷を実行指示することもできる。また、特徴部分を視認し易い位置に表示した後に、ユーザの要望に応じて他の部分を確認したり、画像を縮小表示させることで、画像の全体像も確認させることもできる。なお、「パンチ」や「ステープル」に対応する付加情報画像の色はユーザ設定可能にしておいてもよい。
【０１３８】
また、上述のように、付加情報画像付きのプレビュー画像は、付加情報画像の合成部分を拡大して表示させているが、この拡大表示例について説明する。まず、プレビュー画像は、出力対象の画像データを出力するページ単位で順次表示する画像とする。そして、表示制御部は、プレビュー画像のページ全体が閲覧可能な表示サイズに対して、付加情報画像が合成されたプレビュー画像を拡大表示させる。このような拡大表示を行うことで、上記合成部分として表示された拡大後の付加情報画像（スタンプ、パンチ等の画像）によって、最終状態を細部にわたり確認することができる。
【０１３９】
具体的には、仕上がり表示キー１１０を選択することにより、図２４のＧＵＩ画像１２０又は図２５のＧＵＩ画像１４０で示すように、プレビュー画像１０６に付加される付加情報（スタンプ等）を示す付加情報画像１２１や、後処理（パンチ等）を示す付加情報画像１４１が合成されると共に、その付加情報画像１２１、１４１が拡大表示される。付加情報画像１２１、１４１の生成や合成は上述したようにプレビュー画像生成部１６ａ等が実行すればよい。
【０１４０】
このようにすることで、付加される付加情報や施される後処理の内容に応じて、プレビュー画像の特徴部分の位置が変わった場合でも、ユーザは特徴部分を探し出してユーザ操作により指示することなく、特徴部分を見て、実際に出力されたときに付加情報や後処理が原稿画像に重ならないかなどの最終状態を確認することができる。なお、図２１のＧＵＩ画像１０５の代わりにプレビュー確認キー４５の選択操作だけで、図２４のＧＵＩ画像１２０や図２５のＧＵＩ画像１４０を表示させてもよい。
【０１４１】
さらに、特徴部分を拡大表示する場合には、ユーザは用紙全体に対する特徴部分の位置が把握し難くなる場面も想定できる。従って、図２４（図２５）に示すように、プレビュー画像のページ全体の縮小図１３３ａ（１５３ａ）と、その縮小図（用紙全体）のうちどの部分を現在表示しているかを示す枠１３３ｃ（１５３ｃ）と、付加情報画像の位置１３３ｂ（１５３ｂ）とを表示しておくとよい。位置１３３ｂ（１５３ｂ）は付加情報画像の大まかな形状の図形で表示することが好ましい。
【０１４２】
このように、表示制御部は、付加情報画像が合成されたプレビュー画像と共に、プレビュー画像のページ全体と付加情報画像との位置関係を示す情報を画像表示部に表示させることが好ましい。なお、図２５のＧＵＩ画像１４０では、縮小図１５３ａに他方のパンチ穴を示す位置１５３ｄも表示しているが、このように可能な限り他の付加情報画像の位置も表示させるとよい。
【０１４３】
用紙全体のうち付加情報画像の位置が分かるように表示することで、どの部分を確認しているのかが直感的に認識できる。つまり、プレビュー表示を行う際には、プレビュー画像に付加された特徴部分を認識可能に表示すると共に、ページ全体のうちのどの部分の特徴部分であるかが認識可能に表示することで、特徴部分が拡大され認識可能に表示された場合でも、ページ全体のどの部分を表示させているか分かり易くなり、全体の仕上がり状態を認識することができる。
【０１４４】
次に、付加情報を複数付加して出力する場合やパンチのように複数の付加情報画像が合成される場合について説明する。いずれの場合でも複数の付加画像情報が含まれることになるが、これらを同時に拡大により視認し易く表示させることはタッチパネル３２のように小さな画面では難しい。従って、複数の付加情報画像をプレビュー表示する場合に備えて、優先順位を予め決めておくことで、順次、付加情報画像（つまり付加情報画像の合成部分）を表示し、最終状態を確認することができるように構成することが好ましい。
【０１４５】
そのため、表示制御部は、プレビュー画像に合成すべき付加情報画像が複数存在する場合、所定の優先順位に従って、拡大表示させる付加情報画像の合成部分（つまり、画像表示部の視認し易い位置に表示させる付加情報画像）を決定することが好ましい。勿論、この決定に従って表示制御部は表示を実行することになる。このように、優先順位に基づいて付加情報画像の表示を制御することで、画像形成の最終状態として重要な特徴部分を優先的に表示し確認することができる。
【０１４６】
例えば、パンチは画像が完全に欠落してしまう恐れがあるので注意が必要と考え、パンチ穴を優先的に表示させることもできる。一方、「極秘」、「重要」、「至急」などのスタンプ画像（特に定型スタンプ画像）の優先順位を高くすることで、重要な特徴部分を先に確認することができるように構成することができる。つまり、所定の優先順位は、付加情報としてスタンプ画像を付加する場合には、スタンプ画像を示す付加情報画像を他の付加情報画像より優先させる順位としてもよい。定型スタンプ画像は上述したように情報として重要なものが多く、それらの重要な情報が確実に付加されているかを優先的に表示し確認することができる。また、スタンプ画像のうち、例えば「回覧」などは優先順位を下げておけばよい。
【０１４７】
また、プレビュー画像に対して下方から上方に位置するほど付加情報画像の優先順位を高くしてもよい。つまり、所定の優先順位は、プレビュー画像の上部に合成する付加情報画像を下部に合成する付加情報画像より優先させる順位としてもよい。このように上方に位置する付加情報画像の優先順位を高くすることで、ページの上方から下に向かって順に付加情報画像を確認できるので、位置関係が分かり易くなり、より確認がし易くなる。
【０１４８】
また、複数の付加情報画像を順に表示させるため、図２４及び図２５に示すアイコン（前キー１３１、次キー１３２）を表示させ、これらのアイコンをユーザが操作することに応じて表示を切り替えるようにすることが好ましい。これにより、ユーザが個々に付加情報画像の最終状態を確認してから表示を順に切り替えるので、確実に一つ一つ付加情報画像の確認を行うことができ、確認漏れを無くすことができる。例えば、図２５のＧＵＩ画像１４０において、まず一方のパンチ穴を示す付加情報画像１４１を表示させておき、次キー１３２が選択されたときに、他方のパンチ穴（位置１５３ｄで示している部分）を、表示するようにプレビュー画像１０６全体を移動させて表示させればよい。
【０１４９】
このように、デジタル複合機１は、複数の付加情報画像のうち、画像表示部の視認し易い位置に表示させる付加情報画像（つまり拡大表示させる合成部分）を切り替えるユーザ操作を受け付ける切替操作部を備えることが好ましい。この切替操作部は、タッチパネル３２やキー操作部３１で例示したものが適用できる。そして、表示制御部は、切替操作部で受け付けたユーザ操作に基づき、所定の優先順位に従って切り替えを実行すればよい。
【０１５０】
次に、印刷（画像形成）対象となる原稿画像を読み取ってプレビュー表示するときの流れについて、図２６を参照しながら説明する。図２６は、図２及び図３のデジタル複合機において、印刷時にプレビュー表示する際の処理の一例を説明するためのフロー図である。
【０１５１】
まず、メイン制御部１８は、読取部１３において原稿台又は原稿送り装置に原稿がセットされているかを確認し（ステップＳ１）、セットされたときに（ステップＳ１でＹＥＳとなったときに）、印刷条件の設定のユーザ操作を受け付け、その設定を反映させる（ステップＳ２）。次に、メイン制御部１８はプレビュー確認キーの設定を行う（ステップＳ３）。ここでは、コピーが開始される前に図４のプレビュー確認キー４５がユーザにより操作された場合に、画像データの読み取り後にプレビュー画像を表示させるように設定する。
【０１５２】
そして、メイン制御部１８は読み取り動作開始の指示を待ち（ステップＳ４）、指示を受けたときに原稿読み取りを読取部１３に対して指示する（ステップＳ５）。これにより、読取部１３では原稿の読み取りを開始する。続いて、メイン制御部１８は、プレビュー画像生成部１６ａに指示して、読み取った画像データによるプレビュー画像の生成処理を実行させ（ステップＳ６）、パネル制御部１１に指示してそのプレビュー画像をタッチパネル３２に表示させる（ステップＳ７）。この処理により、例えば図２１のＧＵＩ画像１０５が表示される。
【０１５３】
ＧＵＩ画像１０５によるプレビュー画像１０６の表示状態で、メイン制御部１８は仕上がり表示キー１１０による指示があるか否かを判定する（ステップＳ８）。ここで仕上がり表示キー１１０の選択による指示がない場合には、次にコピー開始キー１１４によるコピー開始の指示があるか否かを判定し（ステップＳ９）、コピー開始の指示があれば画像データの印刷処理を開始する（ステップＳ１０）。また、ステップＳ９においてコピー開始の指示がなければ、ステップＳ８に戻る。
【０１５４】
ステップＳ８で、仕上がり表示キー５８の指示があった場合には、メイン制御部１８は、プレビュー画像生成部１６ａに指示して付加情報画像を生成させる。そして、パネル制御部１１が、図２４のＧＵＩ画像１２０や図２５のＧＵＩ画像１４０のように、生成された付加情報画像をプレビュー画像１０６に付加した状態（仕上がり状態）でタッチパネル３２に表示させる（ステップＳ１１）。このとき同時にアイコン（前キー１３１、次キー１３２）の表示や各情報１３３ａ〜１３３ｃ（１５３ａ〜１５３ｄ）の表示も行う。
【０１５５】
そして、メイン制御部１８は、前キー１３１又は次キー１３２の選択指示があるか否かを判定し（ステップＳ１２）、選択指示があれば、その指示に基づいて前又は次の付加情報画像（前又は次の合成部分）を拡大表示するように（言い換えると視認し易い位置に移動させて表示するように）、プレビュー表示を行う（ステップＳ１１）。
【０１５６】
ステップＳ１２でＮＯの場合、再設定キー１０９の選択指示があるか否かを判定し（ステップＳ１３）、選択指示があれば、付加情報や後処理の内容や位置の確認及び再設定を行い（ステップＳ１４）、ステップＳ７へ戻ってプレビュー表示を行って再度の仕上がり表示指示を待つ。また、ステップＳ１４の後にステップＳ１１へ戻ってもよい。一方、ステップＳ１３で選択指示がなかった場合には、メイン制御部１８はコピー開始キー１１４によるコピー開始の指示があるか否かを判定し（ステップＳ１５）、コピー開始の指示があれば画像データの印刷処理を開始し（ステップＳ１０）、コピー開始の指示がなければステップＳ１２へ戻る。
【０１５７】
以上、デジタル複合機１を挙げて、本発明の付加情報画像を伴うプレビュー表示について説明したが、本発明は、このような画像形成装置におけるプレビュー表示方法としての形態も採り得る。つまり、このプレビュー表示方法は、画像形成装置が、付加情報を付加して出力する場合又は画像データを印字する記録用紙に後処理を施す場合、プレビュー画像の表示時に、プレビュー画像に対し付加情報の付加位置又は後処理を施す位置に相当する位置に、付加情報又は後処理を示す付加情報画像を合成するステップと、付加情報画像が合成される部分を拡大してプレビュー画像を表示させるステップとを含む。他の応用例については説明した通りである。
【０１５８】
また、このようなプレビュー表示は、このデジタル複合機１等の画像形成装置に接続されたＰＣ（図１のＰＣ２、ＰＣ３等）に組み込まれたデジタル複合機１用の制御プログラム（プリンタドライバ）によっても実行できる。言い換えると、プリンタドライバでの実現例を以下に示すように、本発明は、コンピュータにおけるプレビュー表示方法としての形態も採り得る。
【０１５９】
図２７は、一般的なＰＣの構成例を示す図で、本発明のプリンタドライバを組み込み可能なＰＣの一構成例を示す図でもある。図２７で例示するＰＣ２００は、表示部の一例である表示器２０２、キーボードやポインティングデバイス等でなる操作入力部２０３、ハードディスクやＲＡＭやＲＯＭなどでなる記憶装置２０４、デジタル複合機１等の外部機器にネットワーク２０６経由で接続するための通信Ｉ／Ｆ２０５、及び各種演算処理を実行してそれらを制御するＣＰＵ２０１を備える。
【０１６０】
ＲＯＭ又はハードディスクには基本制御を行うオペレーションシステムが、ＣＰＵ２０１によってＲＡＭ上に展開して実行可能に格納されている。また、ハードディスクには、文書作成ソフトや図面作成ソフトなどのアプリケーションソフトウェアと共に、本発明に係るプリンタドライバが、同じくＣＰＵ２０１によってＲＡＭ上に展開して実行可能に格納されている。プリンタドライバは、通信Ｉ／Ｆ２０５を介してネットワーク２０６等により接続されたデジタル複合機１と通信を行いながら、デジタル複合機１に例えば文書作成ソフトや図面作成ソフトで生成した画像データに関する印刷指令を送る。アプリケーションソフトウェアの操作やプリンタドライバでの印刷設定やプレビュー表示などは操作入力部２０３からのユーザ操作により実行される。
【０１６１】
そして、本発明に係るプリンタドライバは、ＰＣ２００に、デジタル複合機１で出力する対象の画像データからプレビュー画像を生成するステップと、ＰＣ２００の表示器２０２にプレビュー画像を表示するステップと、デジタル複合機１において出力する対象の画像データに付加情報を付加して出力する場合や印字した記録用紙に後処理を施して出力する場合、プレビュー画像の表示時に、付加情報や後処理を示す付加情報画像を合成するステップと、付加情報画像が合成される部分を拡大して表示器２０２にプレビュー画像を表示させるステップとを、実行させるためのプログラムである。
【０１６２】
図２８〜図３０は、本発明に係るプリンタドライバにおける一連の印刷設定用のＧＵＩ画像の例を示す図である。図２８で示すＧＵＩ画像２１０には、通常のプリンタドライバと同様に、印刷方向、印刷部数などの設定項目の他に、プレビュー確認キー２１１が選択可能に表示されている。このプレビュー確認キー２１１を選択することで、図２９に示すＧＵＩ画像２１２に移行する。ＧＵＩ画像２１２では、プレビュー表示領域２１３に印刷対象の画像データから生成したプレビュー画像２１４が表示されており、プレビュー画像２１４の表示ページを変更するための表示切換キー２１５も選択可能に表示されている。
【０１６３】
ＧＵＩ画像２１２には、さらに仕上がり表示キー２１６も選択可能に表示されている。この仕上がり表示キー２１６を選択することで、図３０に示すＧＵＩ画像２１７に移行する。ＧＵＩ画像２１７には、プレビュー表示領域２１３に、図２４のＧＵＩ画像１２０や図２５のＧＵＩ画像１４０で説明したのと同様に、プレビュー画像２１４に重ねて付加情報画像２１７ａを拡大表示すると共に、その付加情報画像２１７ａが付加されている位置を示すための情報２１８ａ〜２１８ｃ（それぞれ図２４の１３３ａ〜１３３ｃに対応）が表示されている。このとき、仕上がり表示キー２１６ａは非選択となる。
【０１６４】
この例では印刷対象の画像データの左上にスタンプ情報「極秘」が付加されていることが確認できる。当然、プリンタドライバで付加情報や後処理の内容や位置の設定も可能とする。その他、特定情報画像の拡大画像表示に関連する応用例、例えば複数の特定情報画像への対応例（アイコン１３１、１３２の表示等）などは、全てデジタル複合機１におけるプレビュー表示と同様に適用できるため、その説明は省略する。そして、このＧＵＩ画像２１７において、例えばＯＫキーを選択することで、付加情報の付加処理や後処理を伴った印刷指示がデジタル複合機１側に送られて、印刷が実行される。
【０１６５】
本発明に係る、コンピュータにおけるプレビュー表示方法は、プリンタドライバについて説明したようなステップを含むものとなる。つまり、このプレビュー表示方法は、コンピュータが、コンピュータに接続された画像形成装置で出力する対象の画像データからプレビュー画像を生成するステップと、コンピュータが、画像形成装置において出力対象の画像データに付加情報を付加して出力する場合又は出力対象の画像データを印字した記録用紙に後処理を施す場合、プレビュー画像の表示時に、プレビュー画像に対し付加情報の付加位置又は後処理を施す位置に相当する位置に付加情報又は後処理を示す付加情報画像を合成するステップと、コンピュータが、付加情報画像が合成される部分を拡大して、コンピュータに具備された表示部にプレビュー画像を表示させるステップとを含む。なお、このようなコンピュータでのプレビュー表示方法を採用する場合、画像形成装置側では各図を参照して説明した同等のプレビュー表示の機能をもたなくてもよい。
【図面の簡単な説明】
【０１６６】
【図１】本発明の一実施形態に係る画像形成装置の一例としてのデジタル複合機を用いて構築される画像処理システムの構成例を示す模式図である。
【図２】図１のデジタル複合機の構成例を示す概略ブロック図である。
【図３】図２のデジタル複合機におけるタッチパネル及びキー操作部の一例を示す外観図である。
【図４】図２及び図３で説明したデジタル複合機の標準画面の例を示す図である。
【図５】図４のＧＵＩ画像において、コピー時の詳細設定を行う特別機能キーを選択した際に表示されるＧＵＩ画像の一例を示す図である。
【図６】図５のＧＵＩ画像において、矢印キーを選択した際に表示されるＧＵＩ画像の一例を示す図である。
【図７】図６のＧＵＩ画像において、印字メニューキーを選択した際に表示されるＧＵＩ画像の一例を示す図である。
【図８】図７のＧＵＩ画像において、矢印キーを選択した際に表示されるＧＵＩ画像の一例を示す図である。
【図９】図６のＧＵＩ画像において、印字メニューキーを選択した際に表示されるＧＵＩ画像の他の例を示す図である。
【図１０】図７又は図９のＧＵＩ画像において、日付キーを選択した際に表示されるＧＵＩ画像の一例を示す図である。
【図１１】図１０のＧＵＩ画像において、印字カラーキーを選択した際に表示されるＧＵＩ画像の一例を示す図である。
【図１２】図１０のＧＵＩ画像において、日付変更キーを選択した際に表示されるＧＵＩ画像の一例を示す図である。
【図１３】図７又は図９のＧＵＩ画像において、スタンプキーを選択した際に表示されるＧＵＩ画像の一例を示す図である。
【図１４】図１３のＧＵＩ画像において、印字カラーキーを選択した際に表示されるＧＵＩ画像の一例を示す図である。
【図１５】図７又は図９のＧＵＩ画像において、ページ数キーを選択した際に表示されるＧＵＩ画像の一例を示す図である。
【図１６】図１５のＧＵＩ画像において、ページ番号キーを選択した際に表示されるＧＵＩ画像の一例を示す図である。
【図１７】図７又は図９のＧＵＩ画像において、文字キーを選択した際に表示されるＧＵＩ画像の一例を示す図である。
【図１８】図１７のＧＵＩ画像において、定型文キーのうちの呼出キーを選択した際に表示されるＧＵＩ画像の一例を示す図である。
【図１９】図１７のＧＵＩ画像において、直接入力キーを選択した際に表示されるＧＵＩ画像の一例を示す図である。
【図２０】図９のＧＵＩ画像において、印字レイアウトキーを選択した際に表示されるＧＵＩ画像の一例を示す図である。
【図２１】図２及び図３で説明したデジタル複合機におけるプレビュー表示画面の例を示す図で、コピーモード時のプレビュー表示例を示す図である。
【図２２】図２及び図３で説明したデジタル複合機におけるプレビュー表示画面の例を示す図で、イメージ送信モード時のプレビュー表示例を示す図である。
【図２３】図２及び図３で説明したデジタル複合機におけるプレビュー表示画面の例を示す図で、ドキュメントファイリングモード時のプレビュー表示例を示す図である。
【図２４】図２１のプレビュー表示画面において仕上がり表示キーを選択したときのＧＵＩ画像の一例を示す図である。
【図２５】図２１のプレビュー表示画面において仕上がり表示キーを選択したときのＧＵＩ画像の他の例を示す図である。
【図２６】図２及び図３のデジタル複合機において、印刷時にプレビュー表示する際の処理の一例を説明するためのフロー図である。
【図２７】一般的なＰＣの構成例を示す図で、本発明のプリンタドライバを組み込み可能なＰＣの一構成例を示す図でもある。
【図２８】本発明に係るプリンタドライバにおける印刷設定用のＧＵＩ画像の一例を示す図である。
【図２９】図２８でプレビュー確認キーの選択により表示されるＧＵＩ画像の一例を示す図である。
【図３０】図２９で仕上がり表示キーの選択により表示されるＧＵＩ画像の一例を示す図である。
【符号の説明】
【０１６７】
１…デジタル複合機、２，３…外部コンピュータ、４…インターネットＦＡＸ装置、１０，３２…タッチパネル、１１…パネル制御部、１２…記録部、１３…読取部、１４…フォーマット変換部、１５…画像記憶部、１６ａ…プレビュー画像生成部、１７…符号化／復号部、１８…メイン制御部、１９…制御用メモリ、２０，３１…キー操作部、２１…ＬＡＮ制御部、２２…制御用バッファ、２３…ＮＣＵ、２４…モデム、２５…ＵＳＢ  Ｉ／Ｆ、３０…操作パネル。
【図１】
2010093417.tif 000003
【図２】
2010093417.tif 000004
【図３】
2010093417.tif 000005
【図４】
2010093417.tif 000006
【図５】
2010093417.tif 000007
【図６】
2010093417.tif 000008
【図７】
2010093417.tif 000009
【図８】
2010093417.tif 000010
【図９】
2010093417.tif 000011
【図１０】
2010093417.tif 000012
【図１１】
2010093417.tif 000013
【図１２】
2010093417.tif 000014
【図１３】
2010093417.tif 000015
【図１４】
2010093417.tif 000016
【図１５】
2010093417.tif 000017
【図１６】
2010093417.tif 000018
【図１７】
2010093417.tif 000019
【図１８】
2010093417.tif 000020
【図１９】
2010093417.tif 000021
【図２０】
2010093417.tif 000022
【図２１】
2010093417.tif 000023
【図２２】
2010093417.tif 000024
【図２３】
2010093417.tif 000025
【図２４】
2010093417.tif 000026
【図２５】
2010093417.tif 000027
【図２６】
2010093417.tif 000028
【図２７】
2010093417.tif 000029
【図２８】
2010093417.tif 000030
【図２９】
2010093417.tif 000031
【図３０】
2010093417.tif 000032